(57)【特許請求の範囲】
【請求項１】
夫々携帯通信機器を携帯する複数のユーザー間で、相互に関連性の高いユーザーに関する情報を表示するシステムであって、
前記複数のユーザーの携帯通信機器の各々から現在位置情報を定期的に取得し、
この定期的に取得された現在位置情報に基いて、各々のユーザーが或る位置の周囲の所定場所に一定時間以上滞在した場合に、その所定場所を滞在時刻に関連付けて履歴データとして随時蓄積していき、前記履歴データには複数の異なる所定場所が含まれており、
前記複数のユーザーの第一のユーザーからの検索要求に応じて、前記複数のユーザーの前記第一のユーザーの前記履歴データに含まれる複数の異なる所定場所と、他のユーザーの前記履歴データに含まれる複数の異なる所定場所とを比較し、複数の共通する所定場所を抽出して、その所定場所を履歴データに含む他のユーザーと共にその複数の共通する所定場所を前記第一のユーザーの携帯通信機器に表示することを特徴とする位置情報履歴照合システム。
【請求項２】
前記複数の共通する所定場所の中で、前記第一のユーザーと、前記他のユーザーが同時に滞在する所定場所を優先的に表示することを特徴とする請求項１に記載の位置情報履歴照合システム。
【請求項３】
前記複数の共通する所定場所の中で、同時に滞在する時間が長い所定場所ほど優先的に表示することを特徴とする請求項２に記載の位置情報履歴照合システム。
【請求項４】
前記複数の共通する所定場所の中で、前記他のユーザーが滞在する時間が長い所定場所を優先的に表示することを特徴とする請求項３に記載の位置情報履歴照合システム。
【請求項５】
前記現在位置情報は、インターネット上のサーバーに送信され、前記履歴データとして蓄積されることを特徴とする請求項４に記載の位置情報履歴照合システム。
【請求項６】
前記現在位置情報の検出機能は、ＧＰＳ（GlobalPositioningSystem）、基地局による三角測量、Wi-Fiの電波強度、またはそれらの組み合わせを利用することで実装されていることを特徴とする請求項５に記載の位置情報履歴照合システム。
【請求項７】
前記他のユーザーの携帯通信機器は、前記検索要求がなされた際に、前記第一のユーザーの携帯通信機器の現在位置の近傍に存在する複数の携帯通信機器であることを特徴とする請求項６に記載の位置情報履歴照合システム。
【請求項８】
前記第一のユーザーの携帯通信機器から、特定の位置情報を伴った検索要求を受けて、前記他のユーザーの携帯通信機器から、この特定の位置情報を含んだデータを検索し、検索結果として提供することを特徴とする請求項７に記載の位置情報履歴照合システム。
【発明の詳細な説明】
【技術分野】
【０００１】
本発明は、携帯通信機器によって、その携帯通信機器を携帯するユーザー間の共通点に関する情報を提供するシステムに関する。
【背景技術】
【０００２】
近年、携帯電話、ＰＨＳ（PersonalHandyphoneSystem）、スマートフォン等の携帯通信機器の利用範囲が飛躍的に広がってきている。本来の機能である通話機能の他に、データ通信機能などが強化され、ユーザーに対してインターネットを介した種々のサービスが提供されている。特に、ＧＰＳを初めとする現在位置情報を利用する様々なサービスが提案されている（特許文献１）。
【先行技術文献】
【特許文献】
【０００３】
【特許文献１】特開２０１１−０７０３４１号公報
【発明の概要】
【発明が解決しようとする課題】
【０００４】
しかしながら、現在の位置情報の利用方法としては、当該携帯通信機器の現在位置そのものや移動を検出するためだけに利用されている。他のユーザーとの関連性において、更に応用の幅が拡がる可能性があるが、そのような提案はなされていない。
【０００５】
そこで、本発明の目的は、携帯通信機器から得られる位置情報を、携帯通信機器間で相互に関連付けることによって、当該携帯通信機器を持つユーザー間の共通点に関する所定の情報を提供することである。
【課題を解決するための手段】
【０００６】
上記課題を解決するために、本発明の位置情報履歴照合システムは、夫々携帯通信機器を携帯する複数のユーザー間で,相互に関連性の高いユーザーに関する情報を表示するシステムであって,前記複数のユーザーの携帯通信機器の各々から現在位置情報を定期的に取得し,この定期的に取得された現在位置情報に基いて,各々のユーザーが或る位置の周囲の所定場所に一定時間以上滞在した場合に,その所定場所を滞在時刻に関連付けて履歴データとして随時蓄積していき,前記履歴データには複数の異なる所定場所が含まれており,前記複数のユーザーの第一のユーザーの前記履歴データに含まれる複数の異なる所定場所と,他のユーザーの前記履歴データに含まれる複数の異なる所定場所とを比較し,共通する所定場所を抽出してandその所定場所を履歴データに含む他のユーザーと共にその所定場所を前記第一のユーザーの携帯通信機器に表示することを特徴とする。
【０００７】
このような構成により、前記携帯通信機器の位置情報履歴の比較から、当該携帯通信機器を持つユーザー同士が、同一の位置にいたことが分かり、互いの共通点に関する一定の情報を得ることができる。なお、前記現在位置情報の検出機能は、ＧＰＳを利用することで実装できる。
【０００８】
また、前記共通する所定場所の中で、前記第一のユーザーと、前記他のユーザーが同時に滞在する所定場所を優先的に表示する。
【０００９】
更に、前記共通する所定場所の中で、同時に滞在する時間が長い所定場所ほど優先的に表示する。
【００１０】
更に、前記共通する所定場所の中で、前記他のユーザーが滞在する時間が長い所定場所を優先的に表示する。
【００１１】
更に、前記現在位置情報は、インターネット上のサーバーに送信され、前記履歴データとして蓄積される。
【００１２】
更に、前記現在位置情報の検出機能は、ＧＰＳ（GlobalPositioningSystem）、基地局による三角測量、Wi-Fiの電波強度、またはそれらの組み合わせを利用する。
【００１３】
更に、前記他のユーザーの携帯通信機器は、前記第一のユーザーの携帯通信機器の現在位置の近傍に存在する複数の携帯通信機器である。
【００１４】
更に、前記第一のユーザーの携帯通信機器から、特定の位置情報を伴った検索要求を受けて、前記他のユーザーの携帯通信機器から、この特定の位置情報を含んだデータを検索し、検索結果として提供する。
【発明の効果】
【００１５】
本発明に係わる位置情報履歴照合システムによれば、携帯通信機器の位置情報履歴から、当該携帯通信機器を持つユーザー同士が、同一の位置にいたことが分かり、互いの共通点に関する一定の情報を得ることができる。これによって、ユーザー間の交流の手助けを行うことができる。
【図面の簡単な説明】
【００１６】
【図１】図１は、本発明の実施例１に係る位置情報履歴照合システムを説明する図である。
【図２】図２は、本発明の実施例１に係る位置情報履歴照合システムにおいて、各携帯通信機器に蓄積される履歴データベースの履歴テーブルを示す図である。
【図３】図３は、本発明の実施例１に係る位置情報履歴照合システムの履歴データベースの現在位置情報テーブルを示す図である。
【図４】図４は、本発明の実施例１に係る位置情報履歴照合システムの利用シナリオにおける信号の流れを説明する図である。
【図５】図５は、本発明の実施例１に係る位置情報履歴照合システムにおいて、一つの携帯通信機器の履歴との相関の高い位置情報レコードのリストが表示されている画面を示す図である。
【図６】図６は、本発明の実施例１に係る位置情報履歴照合システムにおいて、一つの携帯通信機器の履歴との相関の高い位置情報レコードから、特定の携帯通信機器のレコードのみを抽出した画面を示す図である。
【図７】図７は、本発明の実施例１に係る位置情報履歴照合システムにおいて、別の携帯通信機器へメッセージを送信するための編集画面を示す図である。
【図８】図８は、本発明の実施例１に係る位置情報履歴照合システムにおいて、受信したメッセージが表示されている画面を示す図である。
【図９】図９は、本発明の実施例１に係る位置情報履歴照合システムにおいて、メッセージへの返信を行う為の画面を示す図である。
【図１０】図１０は、本発明の実施例２に係る位置情報履歴照合システムの利用シナリオにおける信号の流れを説明する図である。
【図１１】図１１は、本発明の実施例３に係る位置情報履歴照合システムの利用シナリオにおける信号の流れを説明する図である。
【図１２】図１２は、本発明の実施例４に係る位置情報履歴照合システムにおいて、ある特定の場所と時間における情報を得る為の検索画面を示す図である。
【図１３】図１３は、本発明の実施例４に係る位置情報履歴照合システムにおいて、検索結果画面を示す図である。
【図１４】図１４は、本発明の実施例４に係る位置情報履歴照合システムにおいて、別の携帯通信機器へメッセージを送信するための編集画面を示す図である。
【発明を実施するための形態】
【００１７】
以下、添付図面を参照しながら本発明の実施形態による位置情報履歴照合システムを説明する。利用する携帯通信機器としては、現在位置情報の取得が可能で、インターネットへの通信機能を備えたものを想定する。具体的には、一般的な携帯電話、スマートフォンと呼ばれるタッチパネル付きの多機能携帯電話、タブレット型コンピュータが含まれる。現在位置情報の取得方法としては、ＧＰＳ（GlobalPositioningSystem）や、基地局による三角測量、Wi-Fiの電波強度を利用したものや、それらを組み合わせたものなどがある。
【実施例１】
【００１８】
図１を参照して、実施例１の位置情報履歴照合システムを説明する。このシステムは、インターネットへ接続している位置情報履歴照合サーバー１によって運営されている。また、この位置情報履歴照合システムの利用を希望するユーザーは、常駐プログラムをサーバーからダウンロードして、携帯する携帯通信機器にインストールしておく。
【００１９】
この常駐プログラムは、現在位置情報を定期的に測位して、位置情報履歴照合サーバー１に送信する。図１では、携帯通信機器３Ａを利用するユーザーＡと携帯通信機器３Ｂを利用するユーザーＢのみが、この位置情報履歴照合システムのユーザーを代表して図示されているが、実際には非常に多くのユーザーの存在を想定している。
【００２０】
この履歴のデータベースには、図２に示すように、携帯通信機器毎に履歴テーブル２が設けられている。履歴テーブル２は、測位データのレコードを時系列に並べたシリアル番号と、記録の行われた日付と時間、緯度、経度、その時に通信を行なっている基地局７を特定するCell-IDと、受信感度のフィールドからなっている。
【００２１】
ユーザーの識別には、常駐プログラムをダウンロードした際に割り振られたユニークな端末IDが用いられる。すなわち、履歴テーブル２と端末IDは一対一の対応関係にある。常駐プログラムが、位置情報履歴照合サーバー１へ現在位置情報を送信する際には、Cell-IDや受信感度に加えて、この端末IDを同時に送信する。このようにサーバーが割り振るIDの代わりに、その携帯通信機器自体を識別する個体識別番号を端末IDとして用いても良い。
【００２２】
具体的には、衛星５からの信号に基づくＧＰＳ等を利用して、常駐プログラムが数分毎（例えば、５分毎）に現在位置を測位し緯度と経度を特定する。そして、測位した経緯度を、Cell-ID、受信感度、端末ID等と共に位置情報履歴照合サーバー１へ送信する。
【００２３】
位置情報履歴照合サーバー１では、図３に示したような現在位置情報テーブルに、端末IDで特定される携帯通信機器の現在位置情報が記録されている。現在位置情報テーブルの各フィールドは、履歴テーブルの各フィールドに対応しているが、時系列のシリアル番号の代わりに、その携帯通信機器を特定する端末IDのフィールドが設けられている。
【００２４】
携帯通信機器からの現在位置情報を受信すると、位置情報履歴照合サーバー１は、添付されている端末IDが、現在位置情報テーブルに記録されているか否かを確認する。記録されていなければ、この端末IDに対応して、現在位置情報テーブルに、この現在位置情報に基づいて新たなレコードを生成する。また、この端末IDの履歴テーブルも生成する。
【００２５】
既に記録されていれば、その端末IDのレコードから前回の現在位置情報（経緯度）を取得し、受信した現在位置情報と照合する。もし、これらの緯度と経度がほぼ同一（例えば、高々１０ｍ程度の差異）であれば、何もせず受信した現在位置情報は捨てる。
【００２６】
現在位置情報の前回のものと異なる場合、その記録されている前回のレコードを、その端末IDに対応する履歴テーブルに新たなレコードとして追加する。そして、現在位置情報テーブルの当該レコードを、受信した現在位置情報、Cell-ID、受信感度、記録日時で更新する。従って、履歴テーブルにおいて、或るレコードの示す位置での滞在時間は、当該レコードと後続のレコードとの時間差に対応することになる。
【００２７】
例えば、時刻13:30のレコードの次が時刻14:30のレコードであった場合、最初のレコードの場所に一時間滞在したことになる。Cell-IDや受信感度は補助データとして、経緯度の信頼性などに利用できる。履歴テーブルの最も新しいレコードの示す位置での滞在時間は、現在位置情報テーブルの対応するレコードの時刻と、履歴テーブルの最も新しいレコードの示す位置での時刻との差分ということになる。また、現在位置における滞在時間は、現在位置情報テーブルの対応するレコードの時刻と現在時刻との差分ということになる。
【００２８】
別の実装態様として、現在位置情報テーブルの各レコードを、対応する履歴テーブルの最新レコードとして重複して記録しておいても良い。すなわち、現在位置情報テーブルの各レコードを更新する際に、最新の更新レコードを履歴テーブルの最新レコードとして重複して記録する。この場合、履歴テーブルのみから滞在時間が算出できる。
【００２９】
次に、実際の利用シナリオに従って、この実施例の位置情報履歴照合システムの機能を説明する。なお、図４に全体の信号の流れが示されている。例えば、携帯通信機器３Ａを利用するユーザーＡが、カフェでコーヒーを飲んでいるとする。そして、誰かと話をしてみたいと思った場合、携帯通信機器３Ａを手に取り、常駐プログラムのアイコンをクリックする。通常は、常駐プログラムは常に実行されている（常駐）ので、二重起動は行わずに代わりにユーザー検索要求を位置情報履歴照合サーバー１へ行う。ユーザー検索要求には、現在位置情報と端末IDが添付されている。
【００３０】
このユーザー検索要求を受信した位置情報履歴照合サーバー１は、現在位置情報テーブルを検索して、携帯通信機器３Ａの現在位置の近傍に位置する携帯通信機器のユーザーを特定する。例えば、５０ｍ迄の範囲にいるユーザーを特定する。もしも、その範囲のユーザー数が一定人数、例えば３人以下なら、１００ｍ迄の範囲にいるユーザーを特定する。
【００３１】
また、携帯通信機器３Ａの端末IDの履歴テーブルから、一時間以上滞在した場所の位置情報（以下、特定位置情報と呼ぶ）を抽出する。そして、上記範囲のユーザーの履歴テーブルから、上記特定位置情報を検索する。検索されたレコードは、携帯通信機器３Ａの履歴との相関の高いものから並べて表示される。並べ替えは、例えば次のような手順で行われる。
【００３２】
先ず、その特定位置に携帯通信機器３Ａと同じ時間に滞在したユーザーのレコードが優先される。その中では、同時に滞在した時間の長いレコードが優先される。次に、携帯通信機器３Ａのユーザーと、同じ場所にいた累積の滞在時間（同時でなくても）が長いユーザーのレコードが優先される。
【００３３】
図５に携帯通信機器に表示された上記レコードのリスト画面の例を示す。ここで、最も優先度の高い一番上のレコードは、端末IDが415bfa41であり、横浜市本牧市民公園近くの場所において、2011年08月28日の11:48から4時間25分滞在したことを意味する。また、当該携帯通信機器３Ａがその場所にいた日付、時刻および滞在時間が、括弧内に示されている。従って、端末IDが415bfa41のユーザーと、同じ場所、同じ時間に４時間以上共に滞在したことが分かる。
【００３４】
尚、場所の名前は、逆ジオコーディングによって経緯度から住所へ変換し、電話帳サービスを利用して住所から名前を検索することで行う。但し、山や海など、電話帳サービスを利用できない場合には、経緯度とその場所の名前を対応付けたデータベースを利用して、「〜山」とか「〜海岸」といった表記を行う。ＧＰＳでは誤差があるので「〜付近」といった表記を用いる。
【００３５】
リスト画面において、場所の項目（ここでは「横浜市本牧市民公園近く」）をクリックすると、横浜市本牧市民公園をサーチタームとしたWeb検索結果が表示される。ここで、携帯通信機器３Ａのユーザーは、これがジャズ・コンサートに行った時の記録であることを思い出す。また、端末ID（ここでは「415bfa41」）をクリックすると、図６に示したように、そのユーザーのレコードのみを抽出することができる。
【００３６】
ここでユーザーＡは、端末IDが"415bfa41"のユーザーＢと話をしてみたいと考える。そこで、メッセージ送信のボタンをクリックすると、メッセージ編集の画面に切り替わる（図７）。そこでメッセージを入力して、送信ボタンをクリックすると、端末ID"415bfa41"の携帯通信機器３Ｂへこのメッセージが送信される。具体的には、先ず位置情報履歴照合サーバー１が、この携帯通信機器３Ｂ宛メッセージを受信する。次に、携帯通信機器３Ｂが、現在位置情報を位置情報履歴照合サーバー１に送信した際に、位置情報履歴照合サーバー１は、携帯通信機器３Ｂ宛メッセージを返すようにする。
【００３７】
このメッセージは、図８に示したように、メッセージ本文に加えて、ユーザーＡの履歴データが表示される。但し、この履歴データは、ユーザーＢと関連性の高い履歴から表示されるので、内容は図６と同等のものとなる。この履歴データから、ユーザーＢは、ユーザーＡがどのような人物であるかについての一定の情報を得ることができる。ユーザーＢは、このメッセージに対して、返信ボタンをクリックして、返信を行うことが出来る（図９）。また、必要に応じて、ユーザーＡとユーザーＢは、メッセージのやり取りを繰り返すこともできる。尚、メッセージの送受信処理は、常駐プログラムと位置情報履歴照合サーバー１が担う。
【実施例２】
【００３８】
この実施例では、携帯通信機器にインストールされた常駐プログラムが、現在位置情報を定期的に測位するという点では、実施例１と同様である。ただし、ここでの測位結果は、当該携帯通信機器内のデータベースに保存される。このデータベースの構成は、図２の一つの履歴テーブルと同じである。現在位置情報の記録方法は、記録場所が各携帯通信機器である点、現在位置情報テーブルを用いない点を除いて、実施例１と同じなので詳細は省略する。
【００３９】
すなわち、図１の携帯通信機器３Ａにインストールされた常駐プログラムは、ＧＰＳ等により得た現在位置情報を、携帯通信機器３Ａのメモリへ保存する。また、携帯通信機器３Ｂにインストールされた常駐プログラムは、ＧＰＳにより得た現在位置情報を、携帯通信機器３Ｂのメモリへ保存する。また、実施例２の常駐プログラムは、実施例１と同様の位置情報履歴照合機能を備えている。
【００４０】
次に、実際の利用シナリオに従って、この実施例の位置情報履歴照合システムの機能を説明する。なお、図１０に全体の信号の流れが示されている。例えば、携帯通信機器３Ａを利用するユーザーＡが、パーティーに出席しており、携帯通信機器３Ｂを利用するユーザーＢと初対面であったとする。ユーザーＡは、位置情報履歴照合を行う旨の提案をする。ユーザーＢは了解し、Bluetooth(登録商標)等の通信手段により、互いの位置情報履歴の交換を行う。
【００４１】
携帯通信機器３Ｂの位置情報履歴を受信した携帯通信機器３Ａは、自機に記録されている位置情報履歴と比較照合し、相関関係のあるレコードを抽出する。そして、相関の高いものから並べて表示する。その方法は実施例１と同じであり、図６に示されたリストをその表示例とすることができる。履歴比較照合処理は、夫々の携帯通信機器の常駐プログラムが行う。尚、位置情報履歴データの量が大きい場合には、照合対象データは、履歴の全てではなく直近のデータのみとしても良い。
【００４２】
携帯通信機器３Ａの位置情報履歴を受信した携帯通信機器３Ｂも、同様の処理を行うので、ユーザーＡとユーザーＢは同様の表示を見ることになる。そして、お互いの共通点を手掛かりに、話が弾む可能性が出てくる。すなわち、相関関係で抽出された位置情報履歴が、現実世界のアイスブレーカーとなり得る。
【００４３】
この実施例２は、セキュリティという点で望ましい実装となっている。すなわち、位置情報履歴照合サーバーといったところにユーザーの位置情報履歴情報が集中的に管理されていると、万一漏洩事故が起こった際にはシステムの信頼性が大きく損なわれる。しかし、実施例２では、ユーザーＡとユーザーＢの信頼関係と自己責任というリスクに限定される。
【実施例３】
【００４４】
この実施例では、携帯通信機器にインストールされた常駐プログラムが、現在位置情報を定期的に測位し、当該携帯通信機器内のデータベースに保存するという点では、実施例２と同様である。ただし、位置情報履歴を比較照合し相関関係を抽出するのは、位置情報履歴照合サーバーが行う。
【００４５】
実際の利用シナリオの例は次のとおりである。図１１に全体の信号の流れが示されている。やはり、携帯通信機器３Ａを利用するユーザーＡが、パーティーに出席しており、携帯通信機器３Ｂを利用するユーザーＢと初対面であったとする。ユーザーＡは、位置情報履歴比較を行う旨の提案をする。ユーザーＢは了解し、Bluetoothによる携帯通信機器３Ａからの位置情報履歴の交換要求を、携帯通信機器３Ｂで受信する。この際、携帯通信機器３Ａと携帯通信機器３Ｂは、互いの端末ＩＤも受信する。
【００４６】
次に、携帯通信機器３Ａと携帯通信機器３Ｂは、当該携帯通信機器内に蓄積されている位置情報履歴を位置情報履歴照合サーバーへ送信する。その際に、夫々自機の端末ＩＤと相手方の端末ＩＤも添付しておく。これらのデータを受信した位置情報履歴照合サーバーは、位置情報履歴の相関関係のあるレコードを抽出する。そして、相関の高いものから並べて表示する。その方法は実施例１と同じであり、図６をその表示例とすることができる。
【００４７】
ユーザーからみた実施例３の機能は、実施例２とほぼ同様であるが、位置情報履歴は位置情報履歴照合サーバーのみに送信され相手方の端末へは送信されない。相手方の端末へ送信されるのは、共通点に関するデータのみである。また、位置情報履歴照合サーバーには位置情報履歴は蓄積されない。従って、初対面同士でも、比較的気軽に利用できる。この場合も、位置情報履歴データの量が大きい場合には、照合対象データは、履歴の全てではなく直近のデータのみとしても良い。
【実施例４】
【００４８】
この実施例では、実施例１の位置情報履歴データベースを、ユーザー同士の情報交換に利用するというものである。具体的には、2011年08月28日のジャズ・コンサートの終了時間を知りたいとする。その場合、常駐プログラムの機能を利用する。例えば、図５のユーザー検索ボタンをクリックすることによって、図１２に示したようなユーザー検索画面が表示される。
【００４９】
ユーザー検索画面では、場所、日付、時間および滞在時間を検索タームとして入力することができる。例えば、ここで横浜市本牧市民公園、2011/08/28と入力して検索ボタンをクリックすれば、検索要求が位置情報履歴照合サーバーへ送られ、検索タームにヒットするユーザーのレコードが抽出される。例えば、図１３に示したようなユーザー検索結果が表示される。この検索結果は、入力された検索タームに近いものから滞在時間の長いものを優先的に表示される。
【００５０】
ここで、端末IDである"415bfa41"の項目をクリックすると、図１４に示したようなメッセージ編集の画面に切り替わる。そこでメッセージを入力して、送信ボタンをクリックすると、端末ID"415bfa41"の携帯通信機器へメッセージが送信される。このようにすることで、ある特定の場所と時間における情報を得る新たな手段が提供される。
【産業上の利用可能性】
【００５１】
以上のように、本発明による位置情報履歴照合システムによれば、携帯通信機器相互の位置情報履歴を比較照合することで、当該携帯通信機器を持つユーザー間の共通点に関する所定の情報を提供することできる。これによって、新たな応用への選択肢を拡大することが可能となる。
【符号の説明】
【００５２】
Ａ、Ｂ    ユーザー
１    サーバー
２    履歴テーブル
３Ａ、３Ｂ    携帯通信機器
５    衛星
７    基地局
【図１】
0006023859.tif 000002
【図２】
0006023859.tif 000003
【図３】
0006023859.tif 000004
【図４】
0006023859.tif 000005
【図５】
0006023859.tif 000006
【図６】
0006023859.tif 000007
【図７】
0006023859.tif 000008
【図８】
0006023859.tif 000009
【図９】
0006023859.tif 000010
【図１０】
0006023859.tif 000011
【図１１】
0006023859.tif 000012
【図１２】
0006023859.tif 000013
【図１３】
0006023859.tif 000014
【図１４】
0006023859.tif 000015